(57)【特許請求の範囲】
【請求項１】
監視サーバと、電気通信回線を介して前記監視サーバに接続された監視装置とを備え、前記監視装置は、複数のポートと、当該ポートに接続された設備から監視情報を収集する監視処理部と、当該監視処理部が収集した監視情報を前記監視サーバに送出する監視情報送出部とを有し、前記監視サーバは、前記監視装置から監視情報を取得する監視情報取得部と、前記ポートと当該ポートに接続されている設備との関係を示すテーブルを参照して、前記監視情報取得部が取得した監視情報からポートに接続されている設備の警報情報を生成する警報処理部とを有する監視システムであって、
前記監視装置は、前記ポート及び／又は前記ポートに接続されている設備の構成が変更された時刻を設定変更時刻情報として記憶する設定変更記憶部を備え、前記監視サーバは、前記設定変更記憶部に記憶されている設定変更時刻情報を取得する時刻情報取得部を備え、前記監視情報送出部は、前記監視情報と共に前記設定変更時刻情報を送出し、前記監視情報取得部は、前記監視情報と共に取得した設定変更時刻情報と前記時刻情報取得部が取得した設定変更時刻情報とを比較し、両者が異なる場合、取得した監視情報を警報情報の生成に用いないように前記警報処理部を制御することを特徴とする監視システム。
【請求項２】
請求項１に記載の監視システムにおいて、前記監視サーバは、前記監視情報と共に取得した設定変更時刻情報と前記時刻情報取得部が取得した設定変更時刻情報とが異なる場合、監視情報の送出を停止するように前記監視情報送出部を制御することを特徴とする監視システム。
【請求項３】
請求項１又は請求項２に記載の監視システムにおいて、前記監視サーバは、前記監視情報と共に取得した設定変更時刻情報と前記時刻情報取得部が取得した設定変更時刻情報とが異なる場合、監視情報の収集を停止するように前記監視処理部を制御し、監視処理部は前記設定変更記憶部に記憶されている設定変更時刻情報が更新された後に監視情報の収集を再開することを特徴とする監視システム。
【発明の詳細な説明】
【技術分野】
【０００１】
本発明は、マンションやオフィスビル等に設置された設備の状態を遠隔監視する監視システムに関する。
【背景技術】
【０００２】
従来より、監視サーバと、電気通信回線を介して監視サーバに接続された監視装置を備え、監視装置を介して監視サーバが監視装置に接続されている設備を遠隔監視する監視システムが知られている。この監視システムでは、監視装置は自身のポートに接続されている設備の監視情報を収集する。そして監視サーバは、監視装置から監視情報を取得し、監視装置のポートと各ポートに接続されている設備の関係を示すテーブルを参照して、取得した監視情報に基づいて設備の警報情報を生成，発報する。
【特許文献１】特開２００４−３０１１３号公報
【発明の開示】
【発明が解決しようとする課題】
【０００３】
従来の監視システムによれば、監視サーバは、監視装置以下の構成、すなわちポートやポートに接続されている設備の構成が変更されたとしても、監視システムの管理者が上述のテーブルの内容を変更しない限り、構成の変更を認識することができない。このため従来の監視システムでは、監視装置以下の構成が変更された場合、監視サーバが変更前の構成に基づいて不要な警報情報を発報することがある。
【０００４】
本発明は、上記課題を解決するためになされたものであり、その目的は、監視装置以下の構成が変更された場合に監視サーバが不要な警報情報を発報することを防止可能な監視システムを提供することにある。
【課題を解決するための手段】
【０００５】
本発明に係る監視システムでは、監視装置は、ポート及び／又はポートに接続されている設備の構成が変更された時刻を設定変更時刻情報として記憶する設定変更記憶部を備え、監視サーバは、設定変更記憶部に記憶されている設定変更時刻情報を取得する時刻情報取得部を備え、監視情報送出部は、監視情報と共に設定変更時刻情報を送出し、監視情報取得部は、監視情報と共に取得した設定変更時刻情報と時刻情報取得部が取得した設定変更時刻情報とを比較し、両者が異なる場合、取得した監視情報を警報情報の生成に用いないように警報処理部を制御する。
【発明の効果】
【０００６】
本発明に係る監視システムによれば、監視装置以下の構成が変更された場合に監視サーバが不要な警報情報を発報することを防止できる。
【発明を実施するための最良の形態】
【０００７】
以下、図面を参照して、本発明の実施形態となる監視システムの構成について説明する。
【０００８】
〔監視システムの全体構成〕
本発明の実施形態となる監視システム１は、図１に示すように、複数の被監視装置（ポート）２ａ，２ｂと、複数の被監視装置２ａ，２ｂに接続された監視装置３と、インターネットやＬＡＮ（Local Area Network）等の電気通信回線４を介して監視装置３に接続された監視サーバ５とを主な構成要素として備える。複数の被監視装置２ａ，２ｂには電流計測器，接点出力器，接点入力器等の計測端末を介して監視対象の設備（図示せず）が接続されている。計測端末は、接続されている設備の電流（Ｉ），デジタルインプット（ＤＩ），デジタルアウトプット（ＤＯ），パルスインプット（ＰＩ）等の監視情報を計測し、計測された監視情報を被監視装置２ａ，２ｂを介して監視装置３に出力する。
【０００９】
〔監視装置の内部構成〕
監視装置３は、図２に示すように、被監視装置２ａ，２ｂに接続されている計測端末から監視情報を取得する監視処理部１１と、被監視装置２ａ，２ｂと被監視装置２ａ，２ｂに接続されている設備の構成に関する情報をその構成が設定された時刻の情報（設定変更時刻情報）と共に記憶する設定変更記憶部１２と、監視処理部１１が取得した監視情報を設定変更記憶部１２に記憶されている設定変更時刻情報と共に電気通信回線４を介して監視サーバ５に送出する監視情報送出部１３とを備える。
【００１０】
〔監視サーバの内部構成〕
監視サーバ５は、図３に示すように、電気通信回線４を介して監視装置３から監視情報を取得する監視情報取得部２１と、電気通信回線４を介して監視装置３から設定変更記憶部１２内に記憶されている設定変更時刻情報を取得する時刻情報取得部２２と、被監視装置２ａ，２ｂが取得する監視情報の種別と設備の種別との対応関係を示す設備対応テーブル（図４参照）を記憶する設備対応テーブル記憶部２３と、設備対応テーブル記憶部２３内に記憶されている設備対応テーブルを参照して、監視情報取得部２１が取得した監視情報から各設備の警報情報を生成，発報する警報処理部２４とを備える。
【００１１】
このような構成を有する監視システム１は、以下に示す設定変更時刻記憶処理及び監視処理を実行することにより、被監視装置２ａ，２ｂや被監視装置２ａ，２ｂに接続されている設備の構成が変更された場合に監視サーバ５が不要な警報情報を発報することを防止する。以下、図５及び図６に示すフローチャートを参照して、設定変更時刻記憶処理及び監視処理を実行する際の監視システム１の動作について説明する。
【００１２】
〔設定変更時刻記憶処理〕
始めに、図５に示すフローチャートを参照して、設定変更時刻記憶処理を実行する際の監視システム１の動作について説明する。図５に示すフローチャートは、監視装置３の電源がオフ状態からオン状態に切り換えられたタイミングで開始となり、設定変更時刻記憶処理はステップＳ１の処理に進む。
【００１３】
ステップＳ１の処理では、設定変更記憶部１２が、被監視装置２ａ，２ｂや被監視装置２ａ，２ｂに接続されている設備の構成に関する情報を取得し、取得した構成に関する情報をその構成の設定時刻の情報（設定変更時刻情報）と共に記憶する。これにより、ステップＳ１の処理は完了し、設定変更時刻記憶処理はステップＳ２の処理に進む。
【００１４】
ステップＳ２の処理では、監視サーバ５が電気通信回線４を介して設定変更記憶部１２内に記憶されている被監視装置２ａ，２ｂや被監視装置２ａ，２ｂに接続されている設備の構成に関する情報を取得し、監視システム１の管理者が取得した情報に基づき図４に示すような設備対応テーブルを作成して設備対応テーブル記憶部２３内に記憶する。これにより、ステップＳ２の処理は完了し、設定変更時刻記憶処理はステップＳ３の処理に進む。
【００１５】
ステップＳ３の処理では、時刻情報取得部２２が、電気通信回線４を介して設定変更記憶部１２内に記憶されている設定変更時刻情報を取得して記憶する。これにより、ステップＳ３の処理は完了し、一連の設定時刻記憶処理は終了する。この一連の設定時刻記憶処理によれば、被監視装置２ａ，２ｂや被監視装置２ａ，２ｂに接続されている設備の構成が変更されない限り、設定変更記憶部１２内に記憶されている設定変更時刻情報と時刻情報取得部２２が記憶している設定変更時刻情報は同一のものになる。そして被監視装置２ａ，２ｂや被監視装置２ａ，２ｂに接続されている設備の構成が変更された場合には、監視システム１の管理者が手入力で設備対応テーブルを作成しない限り、すなわちステップＳ２の処理が実行されない限り、設定変更記憶部１２内に記憶されている設定変更時刻情報と時刻情報取得部２２が記憶している設定変更時刻情報は異なることになる。
【００１６】
〔監視処理〕
次に、図６に示すフローチャートを参照して、監視処理を実行する際の監視システム１の動作について説明する。図６に示すフローチャートは、監視装置３が監視サーバ５から監視情報の取得要求を受信したタイミングで開始となり、監視処理はステップＳ１の処理に進む。なおこの監視処理は所定周期毎に繰り返し実行されるものとする。
【００１７】
ステップＳ１１の処理では、監視処理部１１が、被監視装置２ａ，２ｂに接続されている計測端末から監視情報を取得し、監視情報送出部１３が、監視処理部１２が取得した監視情報を設定変更記憶部１２内に記憶されている設定変更時刻情報と共に監視サーバ５に送信する。これにより、ステップＳ１１の処理は完了し、監視処理はステップＳ１２の処理に進む。
【００１８】
ステップＳ１２の処理では、監視情報取得部２１が、監視情報送出部１３から受信した設定時刻変更情報と時刻情報取得部２１が記憶している設定変更時刻情報が同じであるか否かを判別する。判別の結果、設定変更時刻情報が同じである場合、監視情報取得部２１は監視処理をステップＳ１６の処理に進める。一方、設定変更時刻情報が異なる場合には、監視情報取得部２１は監視処理をステップＳ１３の処理に進める。
【００１９】
ステップＳ１３の処理では、監視情報取得部２１が、被監視装置２ａ，２ｂや被監視装置２ａ，２ｂに接続されている設備の構成が変更されていると判断し、監視情報送出部１３から受信した監視情報を消去する。これにより、ステップＳ１３の処理は完了し、監視処理はステップＳ１４の処理に進む。
【００２０】
ステップＳ１４の処理では、監視情報取得部２１が、監視処理部１１に対し監視情報の収集を中止するように指示し、監視処理部１１は、監視情報取得部２１からの指示に応じて監視情報の収集を中止する。これにより、ステップＳ１４の処理は完了し、監視処理はステップＳ１５の処理に進む。
【００２１】
ステップＳ１５の処理では、監視情報取得部２１が、監視システム１の管理者によって設備対応テーブル記憶部２３内に記憶されている設備対応テーブルが監視装置３側の構成に合わせて更新されたか否かを判別する。そして監視情報取得部２１は、設備対応テーブルが更新されたタイミングで監視情報の収集を再開するように監視情報取得部２１に指示し、監視処理をステップＳ１１の処理に戻す。
【００２２】
ステップＳ１６の処理では、警報情報処理部２４が、設備対応テーブル記憶部２３内に記憶されている設備対応テーブルを参照して、監視情報取得部２１が取得した監視情報から各設備の警報情報を生成，発報する。これにより、ステップＳ１６の処理は完了し、一連の監視処理は終了する。
【００２３】
以上の説明から明らかなように、本発明の実施形態となる監視システム１では、監視装置３は、被監視装置２ａ，２ｂ及び／又は被監視装置２ａ，２ｂに接続されている設備の構成が変更された時刻を設定変更時刻情報として記憶する設定変更記憶部１２を備え、監視サーバ５は、設定変更記憶部１２に記憶されている設定変更時刻情報を取得する時刻情報取得部２２を備え、監視情報送出部１３は、監視情報と共に設定変更時刻情報を送出し、監視情報取得部２１は、監視情報と共に取得した設定変更時刻情報と時刻情報取得部２２が取得した設定変更時刻情報とを比較し、両者が異なる場合、取得した監視情報を警報情報の生成に用いないように警報情報処理部２４を制御するので、被監視装置２ａ，２ｂ及び／又は被監視装置２ａ，２ｂに接続されている設備の構成が変更された場合に監視サーバ５が不要な警報情報を発報することを防止できる。
【００２４】
また本発明の実施形態となる監視システム１では、監視サーバ５は、監視情報と共に取得した設定変更時刻情報と時刻情報取得部２２が取得した設定変更時刻情報とが異なる場合、監視情報の送出を停止するように監視情報送出部１３を制御するので、監視情報送出部１３が不要なデータを送出することにより電気通信回線４の負荷が増加することを抑制できる。
【００２５】
また本発明の実施形態となる監視システム１では、監視サーバ５は、監視情報と共に取得した設定変更時刻情報と時刻情報取得部２２が取得した設定変更時刻情報とが異なる場合、監視情報の収集を停止するように監視処理部１１を制御し、監視処理部１１は設定変更記憶部１２に記憶されている設定変更時刻情報が更新された後に監視情報の収集を再開するので、被監視装置２ａ，２ｂ及び／又は被監視装置２ａ，２ｂに接続されている設備の構成が変更された場合に監視サーバ５が不要な警報情報を発報することをより確実に防止できる。
【００２６】
以上、本発明者らによってなされた発明を適用した実施の形態について説明したが、この実施の形態による本発明の開示の一部をなす記述及び図面により本発明は限定されることはない。このように、本実施形態に基づいて当業者等によりなされる他の実施の形態、実施例及び運用技術等は全て本発明の範疇に含まれる。
【図面の簡単な説明】
【００２７】
【図１】本発明の実施形態となる監視システムの全体構成を示す模式図である。
【図２】図１に示す監視装置の内部構成を示すブロック図である。
【図３】図１に示す監視サーバの内部構成を示すブロック図である。
【図４】設備対応テーブルの一例を示す図である。
【図５】本発明の実施形態となる設定時刻記憶処理の流れを示すフローチャート図である。
【図６】本発明の実施形態となる監視処理の流れを示すフローチャート図である。
【符号の説明】
【００２８】
１：監視システム
２ａ，２ｂ：被監視装置（ポート）
３：監視装置
４：電気通信回線
５：監視サーバ
１１：監視処理部
１２：設定変更記憶部
１３：監視情報送出部
２１：監視情報取得部
２２：時刻情報取得部
２３：設備対応テーブル記憶部
２４：警報情報処理部
【図１】
0004915815.tif 000002
【図２】
0004915815.tif 000003
【図３】
0004915815.tif 000004
【図４】
0004915815.tif 000005
【図５】
0004915815.tif 000006
【図６】
0004915815.tif 000007